(57)【要約】【課題】ミシン目等の切断補助線を介して連結された複数の収容物をロール状に巻き取ったロールタイプと、複数の収容物を折り畳んで重ねた積層タイプとに、兼用可能な収容容器及びその使用方法を提供する。【解決手段】ロール状の収容物３と、折り畳んで複数層に積層された収容物３とのいずれをも収容可能な収容容器１であって、背面側に容器本体２を上下逆転可能に取付可能な取付部を備え、前面側の長手方向に延びる収容物取り出し用の取出口４には、ロールタイプの収容物を所定寸法ごとに形成された切断補助線Ｍに沿って切断可能な切取片６が形成されると共に、積層タイプの収容物３を取り出し可能とする形状に形成されたことを特徴とする収容容器である。【選択図】図１
2010132305.tif 000002
【特許請求の範囲】
【請求項１】
ロール状の収容物と、折り畳んで複数層に積層された収容物とのいずれをも収容可能な収容容器であって、背面側に容器本体を上下逆転可能に取付可能な取付部を備え、前面側の長手方向に延びる収容物取り出し用の取出口は、ロールタイプの収容物を所定寸法ごとに形成された切断補助線に沿って切断可能な切取片が形成されると共に、積層タイプの収容物を取り出し可能とする形状に形成されたことを特徴とする収容容器。
【請求項２】
前記切取片は、前記取出口の下縁にのみ設けられたことを特徴とする請求項１に記載の収容容器。
【請求項３】
前記切取片は、前記取出口の下縁から前方へ突出すると共に、その先端が上方へ折曲して形成されたことを特徴とする請求項１または２に記載の収容容器。
【請求項４】
前記容器本体の内部に、前記取出口の長さ方向に沿って移動自在で、かつ所定位置に固定可能な規制板が設けられたことを特徴とする請求項１〜３のいずれかに記載の収容容器。
【請求項５】
前記取付部は、容器本体の背面の中央部を挟んで上下両側に形成された取付溝と、該取付溝に着脱自在に係合され、壁などの構造物に係合する留め具とを備えていることを特徴とする請求項１〜４のいずれかに記載の収容容器。
【請求項６】
前記取付部には、さらに、ネジ止め用孔が形成されたことを特徴とする請求項５に記載の収容容器。
【請求項７】
前記規制板は、左右一対設けられ、取出口の両側に左右対称に配置可能とされたことを特徴とする請求項４に記載の収容容器。
【請求項８】
前記収容物は、包装袋であることを特徴とする請求項１〜７のいずれかに記載の収容容器
【請求項９】
請求項１〜８のいずれかに記載の収容容器の使用方法であって、ロールタイプの収容物使用時には前記切取片が取出口の下縁に位置するように前記容器本体を設置して使用し、積層タイプの収容物使用時には前記容器本体を反転させて、前記切取片が取出口の上縁に位置するように前記容器本体を設置して使用することを特徴とする収容容器の使用方法。
【発明の詳細な説明】
【技術分野】
【０００１】
本発明は、収容物としての包装袋や、キッチンペーパー、ティッシュ、ウエットティッシュ、トイレットペーパー等の紙を１枚ずつ取り出し可能な収容容器であって、詳しくはミシン目等の切断補助線を介して連結された複数の収容物をロール状に巻き取ったロールタイプと、複数の収容物を折り畳んで重ねた積層タイプとに、兼用可能な収容容器に関するものである。
【背景技術】
【０００２】
食品の収容やごみ入れ等に使用するビニール袋の保持体として、特許文献１には、プラスチック袋が突起部上を通過すると、突起部がミシン目部に引っ掛かるように形成され、ミシン目部から各袋が分離されると同時に次ぎの袋がこの突起部に引っ掛かるようになったプラスチック袋ディスペンサが開示されている。
【０００３】
また、特許文献２には、収納ケースの内部に複数枚のシート状袋を収納可能に構成し、その収納ケースの蓋部に開口を設けることにより、その開口から折畳み積層袋を取り出し可能に構成した折り畳み積層袋の収納ケースが開示されている。
【特許文献１】特開平６−２１９４５２号公報
【特許文献２】実登３０６７００４号公報
【発明の開示】
【発明が解決しようとする課題】
【０００４】
しかしながら、特許文献１の容器はロールタイプの包装袋には使用できるが、ロールタイプの包装袋に限定した構造となっており、積層タイプの包装袋には使用することができない。反対に、特許文献２の収納ケースは積層タイプの包装袋には使用できるが、ミシン目を切断する爪がないため、ロールタイプの包装袋には使用しにくい。
【０００５】
本発明は、上記課題を解決するためになされたもので、ロールタイプの収容物と積層タイプの収容物とに兼用可能な収容容器とその使用方法の提供を目的とするものである
【課題を解決するための手段】
【０００６】
上記目的を達成するため、本発明は、ロール状の収容物と、折り畳んで複数層に積層された収容物とのいずれをも収容可能な収容容器であって、背面側に容器本体を上下逆転可能に取付可能な取付部を備え、前面側の長手方向に延びる収容物取り出し用の取出口は、ロールタイプの収容物を所定寸法ごとに形成された切断補助線に沿って切断可能な切取片が形成されると共に、積層タイプの収容物を取り出し可能とする形状に形成されたことを特徴とする収容容器である。
【０００７】
「取出口には、…切取片が形成されると共に、積層タイプの収容物を取り出し可能とする形状」とは、たとえば、取出し口の下縁にのみ上記切取片を設け、上縁には切取片を設けない構成とすればよい。上縁側を利用すれば切取片が無いので、積層タイプの収容物を取り出しやすい。なお、上縁の形状は、フラットにしてもよいし、下方へ垂下する凸部 を設けたり、反対に凹状に形成したりしてもよい。
【０００８】
このような本発明の収容容器は、容器本体を上下逆転可能に取付可能な取付部を有するため、状況に応じて容器本体の上下の向きを変えて設置することができる。したがって、ミシン目等の切断補助線を介して連結された複数の収容物をロール状に巻き取ったロールタイプの収容物を使用する場合には、切取片が取出口の下縁側に位置するように容器本体を設置して収容物の端部を引き出せば、収容物のミシン目に切取片の先端が引っ掛かるため、簡単に収容物を切り離すことができる。また、複数の収容物を折り畳んで重ねた積層タイプの収容物を使用する場合には、上記ロールタイプの場合とは容器本体を反転させて設置して収容物を引き出せば、その際に切取片が邪魔とならないので収容物を引き出しやすい。このように、本収容容器は、容器本体の上下を反転させることにより、共通の取出口を利用して、ロールタイプの収容物と積層タイプの収容物との両方に兼用することができる。
【０００９】
切取片は、取出口から前方へ突出して形成される。具体的には、切取片は、取出口の下縁から前方へ突出すると共に、その先端を上方へ折曲させて形成することができる。切取片の先端が収容物のミシン目にひっかかり、簡単に引き裂くことができる。また、切取片が前方へ突出した分、切断片の先端と取出口との間にスペースができるため、１つの収容物を引き裂いた後、次の収容物の端部がスペースに残る。したがって、次の収容物をつまみやすく引き出しやすい。なお、切取片は、容器本体と一体的に形成してもよいし、先端を金属製の刃状物等の別部材から構成してもよい。
【００１０】
容器本体の内部に、取出口の長さ方向に沿って移動自在で、かつ所定位置に固定可能な規制板を設けることができる。規制板は、収容物の長さ方向の端部を規制する。規制板を移動させることにより、収容物の長さ方向の幅に合わせて、規制板と容器本体との間の幅、又は規制板と規制板との間の幅を変更することができる。また、規制板を左右一対設け、取出口の両側に左右対称に配置可能とするのがよい。容器本体内において、収容物を取出口と対向する場所に配置することができる。
【００１１】
取付部は、容器本体の背面の中央部を挟んで上下両側に形成された取付溝と、取付溝に着脱自在に係合され、壁、柱、机、台、棚などの構造物に係合する留め具とを備えている。上下に設けられた取付溝に、留め具を上下反対に取り付け可能とすることにより、容器本体を上下逆転可能に取付ることができる。取付部には、さらにネジ止め用孔を形成するのが好ましい。ネジ止めにより構造物に固定することが可能となる。
【００１２】
収容物としては、包装袋や、キッチンペーパー、ティッシュ、ウエットティッシュ、トイレットペーパー等の紙などを挙げることができるが、これに限定されるものではない。
【発明の効果】
【００１３】
以上の説明から明らかな通り、背面側に容器本体を上下逆転可能に取付可能な取付部を備え、前面側の長手方向に延びる収容物取り出し用の取出口には、ロールタイプの収容物を所定寸法ごとに形成された切断補助線に沿って切断可能な切取片が形成されると共に、積層タイプの収容物を取り出し可能とする形状に形成することにより、状況に応じて容器本体の上下を反転させて、共通の取出口を利用して、ロールタイプの収容物と積層タイプの収容物との両方に兼用することができる。
【発明を実施するための最良の形態】
【００１４】
以下、本発明の実施形態を図面に基づいて説明する。なお、説明の都合上、基本的に、ロールタイプの包装袋収容時（後述の切取片６が取出口４の下縁に位置する状態）を基準として、上下方向を設定して各部分の構成を説明する。また、収容物として包装袋の場合について説明するが、その他、キッチンペーパー、ティッシュ、ウエットティッシュ、トイレットペーパー等の紙に適用することができる。
【００１５】
図１は本実施形態の収容容器を前面側から見た斜視図、図２は本実施形態の収容容器を背面側から見た斜視図、図３は図１のＡ−Ａ断面図、図４は図１のＢ−Ｂ断面図、図１３はロールタイプの包装袋を使用した状態を示す斜視図、図１４は積層タイプの包装袋を収容した状態を示す斜視図、図１５は積層タイプの包装袋を使用した状態を示す斜視図である。
【００１６】
図１、図２及び図１３に示すように、本収容容器１は、円筒状で両端が閉塞した合成樹脂製の容器本体２の内部に複数の包装袋３を収納し、後述の取出口４から一枚ずつ包装袋３を取り出すことができる。なお、容器本体２は、金属、紙等の他の材質を用いてもよいし、その断面形状は円形に限らず、三角形、四角形等の他の形状としてもよい。また、包装袋３としては、食品の収容、保管、ごみ入れ等に使用するビニール袋であって、所定寸法ごとに形成された切断補助線（ミシン目）Ｍを介して連結された複数の包装袋３をロール状に巻き取ったロールタイプと、複数のシート状の包装袋３を交互に折り畳む等して重ねた積層タイプの包装袋３のいずれのタイプも収容可能である。
【００１７】
容器本体２は、図８に示すように、縦に２つに分割されてそれぞれ第１容器本体２ａと第２容器本体２ｂとされ、各容器本体２ａ、２ｂの一方の端部がヒンジ５によって連結され、他方の端部が開閉可能とされる。このように第１容器本体２ａと第２容器本体２ｂとを開閉可能とすることにより、包装袋３を容器本体２内に収容することができる。
【００１８】
分割された２つの容器本体２ａ、２ｂのうち、前面側に位置する第１容器本体２ａには、その前面部に長手方向に延びる長穴状の取出口４と、のぞき窓４ａとが設けられる。のぞき窓４ａにより、内部の包装袋３の残量を確認することができる。
【００１９】
取出口４は、内部に収容される包装袋３を取り出し可能である。取出口４の下縁の中央部に、前方側（外周側）へ突出すると共に、先すぼまり形状の先端部分が上方へ折曲して形成された切取片６が設けられる。また、取出口４の上縁の中央部には、前方へは突出せずにそのまま下方へ垂下する凸部７が設けられる。なお、凸部７を形成しない構成としてもよい。
【００２０】
取出口４の中央部分が指を挿入可能な程度に縦方向（周方向）に広く開口され、内部の包装袋３の端部を引き出しやすい。また、切取片６が前方へ突出した分、切断片６の先端部分と取出口４との間にスペースＳができる。このスペースＳにより、取出口４に横から手を入れやすく、包装袋３を取出しやすい。さらに、１枚の包装袋３を引き裂いた後、次の包装袋３の端部がスペースＳに残るため、次の包装袋３をつまみやすく引き出しやすい。
【００２１】
このような構成によると、ロールタイプの包装袋３を容器本体２内に収容し、切取片６を下側に凸部７を上側に位置させた状態で設置し、包装袋３の端部を引き出せば、切取片６の尖った先端が包装袋３のミシン目Ｍに引っ掛かるため、ミシン目Ｍで簡単に切り離すことができる。また、積層タイプの包装袋３を収容し、上記ロールタイプの場合とは容器本体２を反転させ、切取片６を上側に凸部７を下側に位置させた状態で設置して、包装袋３を引き出せば、引き出す際に使用者の指や包装袋３が切取片６にぶつからないですむため引き出しやすい。
【００２２】
すなわち、容器の上下を反転させることにより、ミシン目Ｍを介して連結された複数の包装袋３をロール状に巻き取ったロールタイプと、複数の包装袋３を折り畳んで重ねた積層タイプとに切り替えて兼用することができる。両タイプにおいて、共通の取出口４を利用することができる。
【００２３】
また、２つの容器本体２ａ、２ｂのうち、背面側に位置する第２容器本体２ｂには、容器本体２を上下逆転可能に取付可能な取付部が設けられる。取付部は、取付溝８と、該取付溝に着脱自在に係合され、容器本体２を設置場所に固定するための複数の留め具９とからなる。
【００２４】
図５は留め具の斜視図、図６は留め具の側面図、図７は留め具の底面図であって、（ａ）は留め具（大）を示す図、（ｂ）は留め具（小）を示す図である。留め具９は、後方側に向けて開くようにクの字状に屈曲形成されたクリップ部１０と、第２容器本体２ｂに固定するための湾曲板状の固定部１１とから構成される。クリップ部１０の弾性変形により、棒や板などの構造物を挟み込むことにより固定することができる。
【００２５】
クリップ部１０のクの字の間隔の大きさを変えることによって、大小の留め具９が用意される。大きい留め具９は、例えば図１３に示すように、太い棒や厚みのある板１９に固定することができ、小さい留め具９は、例えば図１５に示すように、細い棒や薄い板１９に固定することができる。
【００２６】
固定部１１は、第２容器本体２ｂの表面の湾曲に沿って形成され、その左右側方の後端に突出形成された凸状の係合部１１ａと、前方に突出形成された凸状の嵌合部１１ｂと、背面に凸状に隆起形成された凸状部１１ｃとを有する。
【００２７】
図２に示すように、第２容器本体２ｂの取付溝８は、第２容器本体２ｂの背面の中央部に位置する口述のフラット部１８を挟んで上下両側に、それぞれの長手方向に３つずつ、合計６つ形成される。取付溝８は、凹状に形成され、その幅方向の側壁８ｄに固定部１１の係合部１１ａの上下面を挟持可能な係合溝部８ａと、前方に形成され固定部１１の嵌合部１１ｂを挿入可能な穴部８ｂと、固定部１１の凸状部１１ｃと係合し合う隆起部８ｃとを有する。
【００２８】
具体的には、留め具９の固定部１１を取付溝８の後方側から前方側にスライドするように差し込み、固定部１１の嵌合部１１ｂを取付溝８の穴部８ｂに差し込み、固定部１１の係合部１１ａを取付溝８の係合溝部８ａに係合させ、固定部１１の凸状部１１ｃを取付溝８の隆起部８ｃよりも前方側に位置させることにより、隆起部８ｃがストッパーとなって固定部１１を取付溝８に固定することができる。また、取り外す際には、固定部１１の凸状部１１ｃが取付溝８の隆起部８ｃを越えるように、固定部１１を後方側にスライドさせれば、簡単に取り外すことができる。また、第２容器本体２ｂの上方側に設けられた取付溝８と、第２容器本体２ｂの下方側に設けられた取付溝８とは、後述のフラット部１８に対して上下対称に設けられている。この構成により、容器本体２を上下逆にしても、上方側に位置する取付溝８に留め具９を固定することができる。
【００２９】
また、第２容器本体２ｂは、背面に扁平なフラット部１８を有している。フラット部１８には、ネジ止め用孔１８が複数設けられる。留め具９を使用しないでも、このフラット部を壁面などに直接ネジ留めや接着剤等により貼り付けて固定することができる。もちろん、容器本体２を上下逆にして固定することも可能である。
【００３０】
図８は本実施形態の収容容器１を開いた状態を示す分解斜視図、図９は調整板を示す図、図１０は調整板の底面図、図１１は広幅のロールタイプの包装袋を収容した状態を示す斜視図、図１２は狭幅のロールタイプの包装袋を収容した状態を示す斜視図である。
【００３１】
図８に示すように、第２容器本体２ｂの内部には、内部を仕切るための２枚の規制板１２が左右一対に設けられる。図９及び図１０に示すように、規制板１２は、第２容器本体２ｂの内部を仕切る長方形状の板体１３と、その板体１３の下端に水平方向に設けられた固定板１４とから構成される。固定板１４の背面には、嵌合凹部１４ａが形成される。
【００３２】
第２容器本体２ｂの内面には、固定板１４の端部の上下面を挟持可能で取出口４の長さ方向に沿って形成された２本のレール１５と、規制板１２の左右面を挟持可能で周方向に形成された溝１６と、レール１５間に、固定板１４の背面の嵌合凹部１４ａに嵌合可能な嵌合凸部１７とが設けられる。レール１５は、第２容器本体２ｂの左右一対に設けられる。溝１６及び嵌合凸部１７は、幅方向に並んで複数形成される。
【００３３】
レール１５に固定板１４の前後端を保持させることにより、規制板１２を第２容器本体２ｂの幅方向に移動可能とし、溝１６に板体１３の前後端を保持させると共に、嵌合凹部１４ａを嵌合凸部１７に嵌め込むことにより、規制板１２を固定することができる。
【００３４】
このような構成により、規制板１２を取出口４の長さ方向に沿って移動自在となるので、包装袋３の幅に合わせて規制板１２の位置を移動させ固定することができる。したがって、広幅のロールタイプの包装袋３を収容する場合には図１１に示すように規制板１２の間を広く設定し、狭幅のロールタイプの包装袋３を収容する図１２に示すように規制板１２の間を狭く設定すればよい。また、規制板１２を取出口４の両側に左右対称に配置すれば、容器本体２内において、包装袋３を取出口４と対向する場所に配置することができる。
【００３５】
以上の構成において、ロールタイプの包装袋３を使用する場合と、積層タイプの包装袋３を使用する場合とに分けて使用方法を以下に説明する。
【００３６】
まず、ロールタイプの包装袋３を使用する場合について説明する。第１容器本体２ａと第２容器本体２ｂとを開状態とし、ロールタイプの包装袋３を収納し、再び第１容器本体２ａと第２容器本体２ｂとを閉める。図１３に示すように、切取片６が下側に凸部７が上側に位置する状態として、第２容器本体２ｂの上方側の取付溝８に留め具９を固定する。この留め具９のクリップ部１０で、棒などに挟みこむことにより、包装袋３収容容器１の設置が完了する。
【００３７】
包装袋３を取り出す際には、取出口４の中央部分が縦方向（周方向）に広く開口されているため、内部の包装袋３の端部を引き出しやすい。さらに、切取片６の先端部分と取出口４との間にスペースＳにより、取出口４に横から手を入れやすく、包装袋３を取出しやすい。
【００３８】
そして、取出口４から包装袋３の端部を引き出せば、包装袋３のミシン目Ｍに切取片６の先端が引っ掛かるため、簡単にミシン目Ｍで切り離すことができる。さらに、１枚の包装袋３を引き裂いた後、次の包装袋３の端部がスペースＳに残るため、次の包装袋３をつまみやすく引き出しやすい。
【００３９】
次に、積層タイプの包装袋３を使用する場合について説明する。図１４に示すように、第１容器本体２ａと第２容器本体２ｂとを開状態とし、積層タイプの包装袋３を収納し、再び第１容器本体２ａと第２容器本体２ｂとを閉める。図１５に示すように、凸部７が下側に切取片６が上側に位置する状態として、第２容器本体２ｂの上方側の取付溝８に留め具９を固定する。この留め具９のクリップ部１０で、棒などに挟みこむことにより、設置が完了する。
【００４０】
包装袋３を取り出す際には、取出口４の中央部分が縦方向（周方向）に広く開口されているため、内部の包装袋３の端部を引き出しやすい。そして、取出口４から包装袋３を引き出す際には、使用者の指や包装袋３が切取片６にぶつからないですむため、前方へ突出した切取片６が邪魔とならず、包装袋を引き出しやすい。
【００４１】
このように、本収容容器１は、状況に応じて容器本体２の上下を反転させることにより、ロールタイプの包装袋３と積層タイプの包装袋３との両方に兼用することができる。
【図面の簡単な説明】
【００４２】
【図１】本実施形態の収容容器を前面側から見た斜視図
【図２】本実施形態の収容容器を背面側から見た斜視図
【図３】図１のＡ−Ａ断面図
【図４】図１のＢ−Ｂ断面図
【図５】留め具の斜視図であって、（ａ）は留め具（大）を示す図、（ｂ）は留め具（小）を示す図
【図６】留め具の側面図であって、（ａ）は留め具（大）を示す図、（ｂ）は留め具（小）を示す図
【図７】留め具の底面図であって、（ａ）は留め具（大）を示す図、（ｂ）は留め具（小）を示す図
【図８】本実施形態の収容容器を開いた状態を示す分解斜視図
【図９】調整板を示す図
【図１０】調整板の底面図
【図１１】広幅のロールタイプの包装袋を収容した状態を示す斜視図
【図１２】狭幅のロールタイプの包装袋を収容した状態を示す斜視図
【図１３】ロールタイプの包装袋を使用した状態を示す斜視図
【図１４】積層タイプの包装袋を収容した状態を示す斜視図
【図１５】積層タイプの包装袋を使用した状態を示す斜視図
【符号の説明】
【００４３】
１      収容容器
２      容器本体
２ａ    第１容器本体
２ｂ    第２容器本体
３      包装袋
４      取出口
６      切取片
７      凸部
８      取付溝
９      留め具
１０    クリップ部
１１    固定部
１２    規制板
１３    板体
１４    固定板
１５    レール
１６    溝
１７    嵌合凸部
【図１】
2010132305.tif 000003
【図２】
2010132305.tif 000004
【図３】
2010132305.tif 000005
【図４】
2010132305.tif 000006
【図５】
2010132305.tif 000007
【図６】
2010132305.tif 000008
【図７】
2010132305.tif 000009
【図８】
2010132305.tif 000010
【図９】
2010132305.tif 000011
【図１０】
2010132305.tif 000012
【図１１】
2010132305.tif 000013
【図１２】
2010132305.tif 000014
【図１３】
2010132305.tif 000015
【図１４】
2010132305.tif 000016
【図１５】
2010132305.tif 000017